(57)【要約】【課題】紐を用いた遊びをより簡単に行うことができる紐巻き玩具及び紐巻き機玩具を提供する。【解決手段】紐巻き玩具２は、第１紐の周りに第２紐４を巻き付けてなる紐巻き体を作成するための紐巻き玩具であって、軸方向の第１端部及び第２端部と、第１端部及び第２端部の間に配置され、第２紐４が巻き付けられる中央部と、を有する巻き棒５と、第１端部に係止される第１係止部材６と、第１紐によって第１係止部材６と連結された状態で、第２端部に係止される第２係止部材７と、を備える。巻き棒５の軸方向から見て、第１係止部材６及び第２係止部材７は、中央部からはみ出した状態で、第１端部及び第２端部に係止される。【選択図】図１
2020022580.tif 000002
【特許請求の範囲】
【請求項１】
第１紐の周りに第２紐を巻き付けてなる紐巻き体を作成するための紐巻き玩具であって、
軸方向の第１端部及び第２端部と、前記第１端部及び前記第２端部の間に配置され、前記第２紐が巻き付けられる中央部と、を有する巻き棒と、
前記第１端部に係止される第１係止部材と、
前記第１紐によって前記第１係止部材と連結された状態で、前記第２端部に係止される第２係止部材と、を備え、
前記巻き棒の軸方向から見て、前記第１係止部材及び前記第２係止部材は、前記中央部からはみ出した状態で、前記第１端部及び前記第２端部に係止される、紐巻き玩具。
【請求項２】
前記第１端部及び前記中央部には、前記軸方向を深さ方向とすると共に、前記軸方向に交差する方向に前記第１端部及び前記中央部を貫通している第１溝が設けられている、請求項１に記載の紐巻き玩具。
【請求項３】
前記中央部の外側面には、前記軸方向に沿って前記第１端部と前記第２端部とを連結するように延び、前記第１紐が収容される溝状の収容部が設けられている、請求項１又は２に記載の紐巻き玩具。
【請求項４】
前記第１係止部材及び前記第２係止部材は、それぞれ環状のフックであり、前記フックに環状の前記第１紐が引っ掛けられることにより、互いに連結される、請求項１〜３のいずれか一項に記載の紐巻き玩具。
【請求項５】
前記第２端部に設けられ、前記軸方向に交差する方向に突出し、前記第２係止部材が係止される突起を更に備える、請求項４に記載の紐巻き玩具。
【請求項６】
前記第１端部には、前記軸方向を深さ方向とすると共に、前記軸方向に交差する方向に前記第１端部を貫通している第２溝が設けられており、
前記第１係止部材は、前記第２溝内に配置され、前記第２溝の底面に係止される、請求項１〜５のいずれか一項に記載の紐巻き玩具。
【請求項７】
前記第２端部に設けられ、前記中央部に巻き付けられる前記第２紐の端部を固定する固定部を更に備える、請求項１〜６のいずれか一項に記載の紐巻き玩具。
【請求項８】
請求項１〜７のいずれか一項に記載の紐巻き玩具と、
前記巻き棒を前記軸方向回りに回転させる回転部と、
前記回転部の回転と同期して、前記第２紐の巻付け位置を前記軸方向に沿って移動させるガイド部と、を備える、紐巻き機玩具。
【発明の詳細な説明】
【技術分野】
【０００１】
本発明の一側面は、紐巻き玩具及び紐巻き機玩具に関する。
【背景技術】
【０００２】
特許文献１には、子供用の編み機玩具が開示されている。特許文献１に記載の編み機玩具では、ハンドルの回転操作により、子供でも毛糸編みを楽しむことができる。このような編み機玩具によれば、紐を用いた遊びを通じて子供の創造力及び想像力を養うことが図られる。
【先行技術文献】
【特許文献】
【０００３】
【特許文献１】特開昭５７−１３７７号公報
【発明の概要】
【発明が解決しようとする課題】
【０００４】
上述したような編み機玩具は、複雑な構造を有しているため、幼児が一人で使用するのは困難である。このため、紐を用いた遊びをより簡単に行うことができる玩具が求められる。
【０００５】
そこで、本発明の一側面は、紐を用いた遊びをより簡単に行うことができる紐巻き玩具及び紐巻き機玩具を提供する。
【課題を解決するための手段】
【０００６】
本発明の一側面に係る紐巻き玩具は、第１紐の周りに第２紐を巻き付けてなる紐巻き体を作成するための紐巻き玩具であって、軸方向の第１端部及び第２端部と、第１端部及び第２端部の間に配置され、第２紐が巻き付けられる中央部と、を有する巻き棒と、第１端部に係止される第１係止部材と、第１紐によって第１係止部材と連結された状態で、第２端部に係止される第２係止部材と、を備え、巻き棒の軸方向から見て、第１係止部材及び第２係止部材は、中央部からはみ出した状態で、第１端部及び第２端部に係止される。
【０００７】
この紐巻き玩具では、第１紐で互いに連結された第１係止部材及び第２係止部材が巻き棒の第１端部及び第２端部に係止される。このため、巻き棒の周りに第２紐を巻き付けることにより、第１紐の周りに第２紐を巻き付けることができる。巻き棒の軸方向から見て、第１係止部材及び第２係止部材は、巻き棒の中央部からはみ出した状態で、第１端部及び第２端部に係止される。このため、第２紐が第１係止部材及び第２係止部材に引っ掛かり、巻き棒から外れることが抑制される。したがって、第１紐の周りに第２紐を巻き付けてなる紐巻き体を容易に作成することができる。よって、紐を用いた遊びをより簡単に行うことができる。
【０００８】
この紐巻き玩具では、第１端部及び中央部には、軸方向を深さ方向とすると共に、軸方向に交差する方向に第１端部及び中央部を貫通している第１溝が設けられてもよい。この場合、巻き棒の第１端部及び中央部は、第１溝によって２つの部分に分離されている。したがって、巻き棒の第１端部及び中央部の外周の長さは、２つの部分が互いに離れている状態よりも、２つの部分が互いに近づいている状態で短くなる。このため、２つの部分が互いに離れている状態で巻き棒に第２紐を巻き付けた後、２つの部分が互いに近づいている状態とすることで、巻き終えた第２紐の巻き付け力が緩むので、巻き棒を容易に抜き取ることができる。
【０００９】
この紐巻き玩具では、中央部の外側面には、軸方向に沿って第１端部と第２端部とを連結するように延び、第１紐が収容される溝状の収容部が設けられていてもよい。この場合、収容部内に第１紐を収容することができるので、第１紐と第２紐との接触を抑制することができる。これにより、巻き終えた第２紐から巻き棒を抜き取る際に、第１紐と第２紐との摩擦を抑制することができる。
【００１０】
この紐巻き玩具では、第１係止部材及び第２係止部材は、それぞれ環状のフックであり、フックに環状の第１紐が引っ掛けられることにより、互いに連結されてもよい。この場合、簡単に第１係止部材と第２係止部材とを連結することができる。
【００１１】
この紐巻き玩具は、第２端部に設けられ、軸方向に交差する方向に突出し、第２係止部材が係止される突起を更に備えてもよい。この場合、突起により第２係止部材を第２端部に係止させることができる。
【００１２】
この紐巻き玩具では、第１端部には、軸方向を深さ方向とすると共に、軸方向に交差する方向に第１端部を貫通している第２溝が設けられており、第１係止部材は、第２溝内に配置され、第２溝の底面に係止されてもよい。この場合、第２溝により第１係止部材を第１端部に係止させることができる。したがって、第１端部に突起等を設ける必要がないので、第１端部が巻き終えた第２紐の中を容易に通過できる。このため、巻き終えた第２紐から巻き棒を容易に抜き取ることができる。
【００１３】
この紐巻き玩具は、第２端部に設けられ、中央部に巻き付けられる第２紐の端部を固定する固定部を更に備えてもよい。この場合、第２紐の端部を巻き棒の第２端部に固定することができる。
【００１４】
本発明の一側面に係る紐巻き機玩具は、上記紐巻き玩具と、巻き棒を軸方向回りに回転させる回転部と、回転部の回転と同期して、第２紐の巻付け位置を軸方向に沿って移動させるガイド部と、を備える。
【００１５】
この紐巻き機玩具では、回転部により巻き棒を軸方向回りに回転させながら、ガイド部により第２紐の巻付け位置を軸方向に沿って移動させることができるので、第２紐を巻き棒に均等に巻き付けることができる。よって、紐を用いた遊びをより簡単に行うことができる。
【発明の効果】
【００１６】
本発明の一側面によれば、紐を用いた遊びをより簡単に行うことができる紐巻き玩具及び紐巻き機玩具を提供することができる。
【図面の簡単な説明】
【００１７】
【図１】実施形態に係る紐巻き玩具及び紐巻き機玩具を示す斜視図である。
【図２】実施形態に係る紐巻き玩具を示す平面図である。
【図３】巻き棒の断面図である。
【図４】巻き棒の断面図である。
【図５】第１係止部材及び第２係止部材が第１紐により連結された状態を示す図である。
【図６】第１支持部を示す図である。
【発明を実施するための形態】
【００１８】
以下、添付図面を参照して、本発明の実施形態について詳細に説明する。なお、以下の説明において、同一又は相当要素には同一符号を付し、重複する説明を省略する。
【００１９】
図１は、実施形態に係る紐巻き玩具及び紐巻き機玩具を示す斜視図である。図２は、実施形態に係る紐巻き玩具を示す平面図である。図１に示される紐巻き機玩具１は、紐巻き玩具２と、本体３と、を備えている。図１及び図２に示される紐巻き玩具２は、単体でも用いられ得るが、本体３に取り付けられ、紐巻き機玩具１としても用いられ得る。紐巻き機玩具１及び紐巻き玩具２は、第１紐２０の周りに第２紐４を巻き付けてなる紐巻き体を作成するため玩具である。紐巻き機玩具１及び紐巻き玩具２は、紐を用いた遊びを通じて子供の創造力及び想像力を養うための知育用玩具である。
【００２０】
第１紐２０は、例えば、シリコンゴム等のゴムからなっている。第２紐４は、例えば、毛糸、リボン、布を裂いた裂き布等からなっている。単体の紐巻き体、又は互いに連結された複数の紐巻き体により、例えば、髪飾り、ポシェット、ストール、ランチョンマット等の小物や雑貨を得ることができる。
【００２１】
紐巻き玩具２は、巻き棒５と、第１係止部材６と、第２係止部材７と、を備えている。巻き棒５は、例えば、棒状部材である。巻き棒５の軸方向の長さは、例えば、１８４ｍｍである。巻き棒５は、軸方向の第１端部５ａ及び第２端部５ｂと、第２紐４が巻き付けられる中央部５ｃと、を有している。中央部５ｃは、第１端部５ａ及び第２端部５ｂの間に配置されている。中央部５ｃは、軸方向で第１端部５ａ及び第２端部５ｂのそれぞれと隣り合っている。第１端部５ａは、中央部５ｃとは反対側に位置する端面５ｄを有している。
【００２２】
巻き棒５は、第１端部５ａ及び中央部５ｃにおいて、断面円形の棒状（つまり、円柱状）を呈している。第１端部５ａの断面、及び中央部５ｃの断面は、互いに同心、かつ、同一直径の円形を呈している。第１端部５ａの外側面５ｓは、中央部５ｃの外側面５ｔと滑らかに接続されている。第２端部５ｂは、断面半円形の棒状（つまり、半円柱状）を呈している。第２端部５ｂは、軸方向に沿う平面状の外面５ｆを含んでいる。第２端部５ｂの断面の半円、及び中央部５ｃの断面の円は、互いに同心である。第２端部５ｂの断面の半円の直径は、中央部５ｃの断面の円の直径よりも大きい。
【００２３】
第１端部５ａの断面の円の直径、及び中央部５ｃの断面の円の直径は、例えば、９．９ｍｍである。第２端部５ｂの断面の半円の直径は、例えば、１４．１ｍｍである。巻き棒５は、例えば、ＡＢＳ（アクリロニトリル−ブタジエン−スチレン共重合体）等の樹脂材料の射出成形により形成されている。以下では、巻き棒５の軸方向をＸ方向、Ｘ方向に交差（直交）する方向をＹ方向、Ｘ方向及びＹ方向に交差（直交）する方向をＺ方向とする。
【００２４】
図３及び図４は、巻き棒の断面図である。図２〜図４に示されるように、巻き棒５には、軸方向を深さ方向とする第１溝８及び第２溝９と、第１紐２０が収容される収容部１０と、突起１１と、一対の固定部１２と、が設けられている。
【００２５】
第１溝８は、第１端部５ａ及び中央部５ｃに設けられている。第１溝８は、底面８ａと、一対の内側面８ｂと、を有している。底面８ａは、軸方向に交差（直交）する面である。一対の内側面８ｂは、Ｙ方向において互いに対向している。一対の内側面８ｂのＹ方向における間隔は、例えば、１．９ｍｍである。内側面８ｂは、底面８ａと端面５ｄとを連結するように、軸方向に延びている。内側面８ｂは、第１端部５ａにおいて、第２溝９によって２つに分断されている。第１溝８は、Ｚ方向において第１端部５ａ及び中央部５ｃを貫通している。
【００２６】
第２溝９は、第１端部５ａに設けられている。第２溝９は、底面９ａと、一対の内側面９ｂと、を有している。底面９ａは、軸方向に交差（直交）する面である。一対の内側面９ｂは、Ｚ方向において互いに対向している。一対の内側面９ｂのＺ方向における間隔は、例えば、２．２ｍｍである。内側面９ｂは、底面９ａと端面５ｄとを連結するように、軸方向に延びている。内側面９ｂは、第１端部５ａにおいて、第１溝８によって２つに分断されている。第２溝９は、Ｙ方向において第１端部５ａを貫通している。第２溝９は、第１溝８と連通している。
【００２７】
収容部１０は、少なくとも中央部５ｃの外側面５ｔに設けられている。収容部１０は、軸方向に交差する方向（Ｚ方向）を深さ方向とする溝状を呈している。収容部１０は、軸方向に沿って、第１端部５ａと第２端部５ｂとを連結するように延びている。収容部１０は、底面１０ａと、一対の内側面１０ｂと、を有している。底面１０ａは、Ｚ方向に交差する面である。一対の内側面１０ｂは、Ｙ方向において互いに対向している。一対の内側面１０ｂのＹ方向における間隔は、例えば、１．１ｍｍである。
【００２８】
収容部１０のうち、第１端部５ａ側の部分は、第１溝８の一部を兼ねている。このため、底面１０ａは、第１端部５ａ側の部分には設けられておらず、第２端部５ｂ側の部分のみに設けられている。一対の内側面１０ｂのうち、第１端部５ａ側の部分は、第１溝８の一対の内側面８ｂの一部を兼ねている。収容部１０は、第１溝８及び第２溝９と連通している。収容部１０は、第２端部５ｂの外面５ｆ上の空間とも連通している。外面５ｆは、内側面９ｂ及び底面１０ａと略平行をなしている。Ｚ方向における底面１０ａと外面５ｆとの離間距離は、収容部１０の深さ（収容部１０のＺ方向の長さ）よりも小さい。
【００２９】
突起１１は、第２端部５ｂに設けられ、軸方向に交差する方向（Ｚ方向）に突出している。突起１１は、外面５ｆに設けられ、外面５ｆに交差する方向（Ｚ方向）に突出している。突起１１は、第２係止部材７を第２端部５ｂに係止させるために用いられる。突起１１は、例えば、巻き棒５と同じ材料によって、巻き棒５と一体的に形成されている。
【００３０】
一対の固定部１２は、巻き棒５の中央部５ｃに巻き付けられる第２紐４の端部を固定するために用いられる。一対の固定部１２は、第２端部５ｂに一体的に設けられている。一対の固定部１２は、軸方向に交差する方向（Ｙ方向）において、互いに対向している。各固定部１２は、例えば、櫛歯状を呈している。一対の固定部１２では、各櫛歯が軸方向に交差する方向に沿って、互いに逆方向に突出している。すなわち、一方の固定部１２の各櫛歯は、Ｙ方向の一方に突出している。他方の固定部１２の各櫛歯は、Ｙ方向の他方に突出している。各固定部１２は、例えば、第２紐４の端部を挟み込んで固定するクリップからなっていてもよい。
【００３１】
図５は、第１係止部材及び第２係止部材が紐により連結された状態を示す図である。図２及び図５に示されるように、第１係止部材６は、環状のフックである。第１係止部材６は、例えば、外径１６．８ｍｍ、内径１０ｍｍの円環状のフックである。第１係止部材６の厚さは、第２溝９の一対の内側面９ｂのＺ方向における間隔よりも小さく、例えば、１．６ｍｍである。第２係止部材７は、第１係止部材６と同じ形状を有している。第１係止部材６及び第２係止部材７の外径は、第１端部５ａの断面の円の直径、及び中央部５ｃの断面の円の直径よりも大きい。第１係止部材６及び第２係止部材７は、例えば、ＰＰ（ポリプロピレン）等の樹脂材料の射出成形により形成されている。第１係止部材６及び第２係止部材７は、環状の第１紐２０が引っ掛けられることにより、互いに連結されている。
【００３２】
第１紐２０は、例えば、環状を呈している。第１紐２０は、例えば、シリコンゴム等のゴム紐である。第１紐２０は環状に限られないが、環状とすることにより、幼児でも容易に第１係止部材６と第２係止部材７とを連結することができる。
【００３３】
第１係止部材６は、第１紐２０により第２係止部材７と連結された状態で、第１端部５ａに係止される。具体的には、第１係止部材６は、一対の内側面９ｂ間に挟まれるようにして第２溝９内に配置され、底面９ａに係止される。第２係止部材７は、第１紐２０により第１係止部材６と連結された状態で、第２端部５ｂに係止される。具体的には、第２係止部材７は、突起１１に挿通されることにより、突起１１に係止される。
【００３４】
第１係止部材６及び第２係止部材７は、軸方向から見て、中央部５ｃからはみ出した状態で、第１端部５ａ及び第２端部５ｂに係止される。
【００３５】
図１に示されるように、本体３は、基台２１と、第１支持部２２と、第２支持部２３と、第１取付部２４と、第２取付部２５と、回転部２６と、ハンドル２７と、糸掛け部２８と、ガイド部２９と、を備えている。第１支持部２２及び第２支持部２３は、基台２１上に配置され、巻き棒５を支持する。
【００３６】
図６は、第１支持部を示す図である。図１及び図６に示されるように、第１取付部２４は、第１支持部２２に設けられている。第１取付部２４は、第１端部５ａを第１支持部２２に取り付けるための部材である。第１取付部２４には、第１端部５ａが嵌め込まれる取付穴２４ａが設けられている。第１取付部２４は、取付穴２４ａ内に配置され、第１溝８に嵌め込まれる突状部２４ｂを有している。突状部２４ｂによれば、一対の内側面８ｂが互いに離れている状態に保たれる。
【００３７】
第２取付部２５は、第２支持部２３に設けられている。第２取付部２５は、第２端部５ｂを第２支持部２３に取り付けるための部材である。第２取付部２５には、第２端部５ｂが嵌め込まれる取付穴（不図示）が設けられている。第１取付部２４及び第２取付部２５は、軸方向回りに回転可能に第１支持部２２及び第２支持部２３に設けられている。これにより、巻き棒５は、軸方向回りに回転可能に第１支持部２２及び第２支持部２３に支持される。
【００３８】
回転部２６及びハンドル２７は、第２支持部２３に設けられている。回転部２６は、ハンドル２７が回転操作されることにより、第２支持部２３を軸方向回りに回転させる。回転部２６は、ハンドル２７の回転方向にかかわらず、第２支持部２３を常に同じ方向に回転させる。これにより、回転部２６は、巻き棒５を軸方向回りに常に同じ方向に回転させる。
【００３９】
糸掛け部２８は、第１支持部２２の上部に設けられている。ガイド部２９は、回転部２６の回転と同期して、基台２１上を軸方向に沿って往復移動する。ガイド部２９には、糸掛け部２８を経由した第２紐４が掛けられる糸掛け部分２９ａを有している。このため、ガイド部２９の位置に応じて、巻き棒５に対する第２紐４の巻付け位置が移動する。したがって、ガイド部２９によれば、回転部２６の回転と同期して、第２紐４の巻付け位置を軸方向に沿って移動させることができる。
【００４０】
紐巻き体の作成方法の一例について説明する。例えば、まず、図５に示されるように、第１係止部材６及び第２係止部材７を第１紐２０で連結する。続いて、図２に示されるように、第１紐２０で連結された第１係止部材６及び第２係止部材７を、巻き棒５の第１端部５ａ及び第２端部５ｂに係止させる。このとき、第１係止部材６は、第２溝９内に配置され、第２溝９の底面９ａに係止される。第２係止部材７は、外面５ｆ上で突起１１に係止される。
【００４１】
第１係止部材６及び第２係止部材７の外径は、中央部５ｃの断面の円の直径よりも大きい。このため、軸方向から見て、第１係止部材６及び第２係止部材７は、中央部５ｃからはみ出した状態で、第１端部５ａ及び第２端部５ｂに係止される。第１紐２０は、収容部１０に収容される。収容部１０は、外面５ｆ上の空間及び第２溝９と連通しているため、第１紐２０は外側面５ｓ及び外側面５ｔに露出していない。
【００４２】
続いて、図１に示されるように、第１端部５ａ及び第２端部５ｂを第１取付部２４及び第２取付部２５に取り付ける。このとき、第１取付部２４の突状部２４ｂを第１溝８に嵌め込む。これにより、一対の内側面８ｂが互いに離れている状態で、紐巻き玩具２が本体３に取り付けられる。
【００４３】
次に、第２紐４を本体３の糸掛け部２８を経由してガイド部２９の糸掛け部分２９ａに掛け、第２紐４の端部を固定部１２に固定する。ガイド部２９は、第２端部５ｂ側に移動させておく。続いて、ハンドル２７を回転操作する。これにより、回転部２６が第２取付部２５を介して巻き棒５を軸方向回りに回転させる。これに伴い、第２紐４が巻き棒５に巻き付けられる。回転部２６の回転と同期して、ガイド部２９が軸方向に沿って移動するので、第２紐４が巻き棒５に均等に巻き付けられる。
【００４４】
第２紐４を巻き棒５に巻き付け終えたら、紐巻き玩具２を本体３から取り外す。続いて、第２紐４の巻き終わり部分が、第１紐２０の第２係止部材７側に位置する場合は、第２紐４の巻き始め部分及び巻き終わり部分をまとめて、例えば、テープ等で第１紐２０の第２係止部材７側の部分に固定する。第２紐４の巻き終わり部分が、第１紐２０の第１係止部材６側に位置する場合は、第２紐４の巻き始め部分を第１紐２０の第２係止部材７側の部分に固定し、巻き終わり部分を第１紐２０の第１係止部材６側の部分に固定する。
【００４５】
次に、第１係止部材６及び第２係止部材７を巻き棒５から取り外し、第１端部５ａが第２紐４の中を通過するようにして、巻き棒５を第２紐４から抜き取る。次に、第１紐２０の第１係止部材６側の部分と第１紐２０の第２係止部材７側の部分とを、例えば、結束バンドにより連結する。最後に、第１紐２０から第１係止部材６及び第２係止部材７を取り外す。以上により、紐巻き体が作成される。複数の紐巻き体を作成し、紐巻き体同士を連結することもできる。
【００４６】
本体３を用いず紐巻き玩具２だけで紐巻き体を作成する場合は、第１係止部材６及び第２係止部材７を第１端部５ａ及び第２端部５ｂに係止させた後、紐巻き玩具２を本体３に取り付けず、手で第２紐４を巻き棒５に巻き付ける。第２紐４を巻き棒５に巻き付け終えたら、本体３を用いた場合と同様の方法で、第２紐４の巻き始め部分及び巻き終わり部分の固定等の処理を行う。
【００４７】
以上説明したように、紐巻き玩具２では、第１紐２０で互いに連結された第１係止部材６及び第２係止部材７が巻き棒５の第１端部５ａ及び第２端部５ｂに係止される。このため、巻き棒５の周りに第２紐４を巻き付けることにより、第１紐２０の周りに第２紐４を巻き付けることができる。軸方向から見て、第１係止部材６及び第２係止部材７は、巻き棒５の中央部５ｃからはみ出した状態で、第１端部５ａ及び第２端部５ｂに係止される。このため、第２紐４が第１係止部材６及び第２係止部材７に引っ掛かり、巻き棒５から外れることが抑制される。よって、第１紐２０の周りに第２紐４を巻き付けてなる紐巻き体を容易に作成することができる。このように紐巻き玩具２によれば、紐を用いた遊びをより簡単に行うことができる。
【００４８】
巻き棒５の第１端部５ａ及び中央部５ｃは、第１溝８によって２つの部分に分離されている。したがって、巻き棒５の第１端部５ａ及び中央部５ｃの外周の長さは、２つの部分が互いに離れている状態よりも、２つの部分が互いに近づいている状態において短くなる。紐巻き機玩具１では、巻き棒５に第２紐４を巻き付ける際は、突状部２４ｂを第１溝８内に嵌め込むことにより、２つの部分が互いに離れている状態とされる。また、巻き終えた第２紐４から巻き棒５を抜き取る際は、突状部２４ｂが第１溝８内から取り除かれ、２つの部分が互いに近づいている状態とされる。巻き終えた第２紐４の巻き付け力が緩むので、巻き棒５を容易に抜き取ることができる。
【００４９】
中央部５ｃの外側面５ｔには、第１紐２０が収容される溝状の収容部１０が設けられている。これにより、収容部１０内に第１紐２０を収容することができるので、第１紐２０と第２紐４との接触を抑制することができる。したがって、巻き終えた第２紐４から巻き棒５を抜き取る際に、第１紐２０と第２紐４との摩擦を抑制することができる。また、収容部１０は溝状を呈しているため、例えば、収容部１０が両端のみに開口を有する筒状を呈している場合に比べて、第１紐２０を収容部１０に容易に収容することができる。
【００５０】
第１係止部材６及び第２係止部材７は、それぞれ環状のフックであり、フックに環状の紐が引っ掛けられることにより、互いに連結される。このため、簡単に第１係止部材６と第２係止部材７とを連結することができる。
【００５１】
紐巻き玩具２は、第２端部５ｂに設けられ、軸方向に交差する方向に突出し、第２係止部材７が係止される突起１１を更に備えている。このため、突起１１により第２係止部材７を第２端部５ｂに係止させることができる。
【００５２】
第１端部５ａには、第２溝９が設けられている。第１係止部材６は、第２溝９内に配置され、第２溝９の底面９ａに係止される。このため、第２溝９により第１係止部材６を第１端部５ａに係止させることができる。したがって、第１端部５ａに突起等を設ける必要がないので、巻き終えた第２紐４の中を第１端部５ａが容易に通過できる。よって、巻き終えた第２紐４から巻き棒５を容易に抜き取ることができる。
【００５３】
紐巻き玩具２は、第２端部５ｂに設けられ、第２紐４の端部を固定する櫛歯状の一対の固定部１２を備える。このため、第２紐４の巻き始め部分を巻き棒５の第２端部５ｂに固定することができる。
【００５４】
紐巻き機玩具１では、回転部２６により巻き棒５を軸方向回りに回転させながら、ガイド部２９により第２紐４の巻付け位置を軸方向に沿って移動させることができる。このため、第２紐４を巻き棒５に均等に巻き付けることができる。よって、紐を用いた遊びをより簡単に行うことができる。
【００５５】
以上、実施形態について説明したが、本発明は上記実施形態に限られるものではなく、各請求項に記載した要旨を変更しない範囲で変形し、又は他のものに適用したものであってもよい。
【００５６】
巻き棒５には、突起１１のかわりに、軸方向を深さ方向とすると共に、軸方向に交差する方向に第２端部５ｂを貫通している溝が形成されていてもよい。この場合、第２係止部材７を突起１１に係止させるかわりに、溝の底面に係止させることができる。第１係止部材６及び第２係止部材７は、フック以外であってもよい。この場合、第１係止部材６及び第２係止部材７に第１紐２０を結び付けることにより、第１係止部材６と第２係止部材７とを連結することができる。
【符号の説明】
【００５７】
１…紐巻き機玩具、２…紐巻き玩具、３…本体、４…第２紐、５…巻き棒、５ａ…第１端部、５ｂ…第２端部、５ｃ…中央部、６…第１係止部材、７…第２係止部材、８…第１溝、９…第２溝、９ａ…底面、１０…収容部、１１…突起、１２…固定部、２０…第１紐、２６…回転部、２９…ガイド部。
【図１】
2020022580.tif 000003
【図２】
2020022580.tif 000004
【図３】
2020022580.tif 000005
【図４】
2020022580.tif 000006
【図５】
2020022580.tif 000007
【図６】
2020022580.tif 000008